(57)【要約】【課題】  商品販売データ処理装置の放熱経路を確保し、商品販売データ処理装置を熱的影響から保護する。【解決手段】  ＰＯＳ端末２０１の右側面の化粧カバー２１１ａは、カバー本体３０１と、カバー本体３０１の筐体内側に設けられる防塵カバー３０２と、カバー本体３０１の筐体外側に設けられるパネル３０３とから構成される。カバー本体３０１の外面は、その一部が、外観面３１１に比べて筐体内部に向かって窪んだ凹面３１２になっている。そして、凹面３１２には、二つの排気口３１３，３１４が設けられている。凹面３１２には、再剥離粘着材でシート材３０３が貼り付けされている。【選択図】    図１０
2006155314.tif 000002
【特許請求の範囲】
【請求項１】
商品販売データ処理装置において、
本体筐体の両側面のうち少なくとも一方は外面の一部が他の部分に比べて前記筐体内部に向かって窪んだ凹面になっていることを特徴とする商品販売データ処理装置。
【請求項２】
ユニット化された各部品を組み合わせて構成されている一体型の商品販売データ処理装置において、
本体筐体の両側面のうち少なくとも一方は外面の一部が他の部分に比べて前記筐体内部に向かって窪んだ凹面になっていることを特徴とする商品販売データ処理装置。
【請求項３】
前記凹面には、再剥離粘着材でシート材が貼り付けされていることを特徴とする請求項１又は２に記載の商品販売データ処理装置。
【発明の詳細な説明】
【技術分野】
【０００１】
本発明は、ＰＯＳ端末等の商品販売データ処理装置に関する。
【背景技術】
【０００２】
ＰＯＳ端末等の商品販売データ処理装置は、セロハンテープ台、募金箱、ＣＡＴ端末装置等の周辺機器、什器などが筐体の側面部分近傍に隙間なく配置されて設置されるのが通常である。
【０００３】
【特許文献１】特開平１１−２２４９８９号公報
【発明の開示】
【発明が解決しようとする課題】
【０００４】
しかしながら、前記従来のように筐体の側面部分近傍に様々な物が置かれて設置されていると、筐体の側面に設けられた風穴がふさがれてしまい、熱的な問題から商品販売データ処理装置の機能を害する恐れがあるという不具合がある。
【０００５】
また、別の課題として、従来のＰＯＳ端末等の商品販売データ処理装置は、特定のユーザの希望に応じたカスタム製品を提供しようとすると、製品のデザインを部分的に変える、筐体カバーの色などを変えるなどの対応しかできず、また、そのためには製造コストや納期が大幅に増大するという不具合があった。
【０００６】
そこで、本発明の目的は、商品販売データ処理装置の放熱経路を確保し、商品販売データ処理装置を熱的影響から保護することである。
【課題を解決するための手段】
【０００７】
本発明は、商品販売データ処理装置において、本体筐体の両側面のうち少なくとも一方は外面の一部が他の部分に比べて前記筐体内部に向かって窪んだ凹面になっていることを特徴とする商品販売データ処理装置である。
【発明の効果】
【０００８】
本発明によれば、凹面に排気口を設ければ、商品販売データ処理装置の放熱経路を確保し、商品販売データ処理装置を熱的影響から保護することができる。
【発明を実施するための最良の形態】
【０００９】
本発明を実施するための最良の一形態について説明する。
【００１０】
ＰＯＳ端末等の商品販売データ処理装置には、いわゆる分散型と呼ばれる種類のものと一体型と呼ばれる種類のものとがある。「分散型」というのは、商品販売データ処理を実行するコントローラ、キーボード、ディスプレイ及びプリンタ等の各構成要素が形態的に分離して構成された商品販売データ処理装置である。「一体型」というのは、そのようなコントローラ、キーボード、ディスプレイ及びプリンタ等の各構成要素が形態的に一体化されて構成された商品販売データ処理装置である。
【００１１】
そして、本実施の形態は一体型のＰＯＳ端末の例であるが、この一体型のＰＯＳ端末の製造と、分散型のＰＯＳ端末を構成するＰＯＳ端末のコントローラの製造とに際しては、コントロールボックスフレーム及びハードウェア構成物を共用するようにしている。
【００１２】
そこで、まず、分散型のＰＯＳ端末を構成するＰＯＳ端末のコントローラについて説明し、続いて本実施の形態にかかる一体型のＰＯＳ端末について説明する。
【００１３】
［分散型のＰＯＳ端末のコントローラについて］
図１は、分散型の商品販売データ処理装置、この例ではＰＯＳ端末のコントローラ１０１を示す斜視図である。このコントローラ１０１には、図示しない表示機器、キーボード、プリンタなどが載置され、それぞれコントローラ１０１に接続されて、ＰＯＳ端末として使用される。
【００１４】
このコントローラ１０１は、扁平形状をしており、トップカバー１０２とフロントカバー１０３とで覆われている。フロントカバー１０３には、このフロントカバー１０３の前面部分に開閉自在に設けられた蓋１０４を開閉するための鍵１０５が設けられている。トップカバー１０２には、正面から見てその右側に二つの排気口１０６ａ，１０６ｂが形成されている。
【００１５】
図２は、分散型のＰＯＳ端末のコントローラの分解斜視図である。図３は、コントロールボックスフレーム１０７の斜視図である。コントローラ１０１は、コントロールボックスフレーム１０７にハードウェア構成物１０８を収納し、コントロールボックスフレーム１０７に設けられた段部１０９に追加フレーム１１０を取り付けた状態で、その上面及び側面を覆うようにトップカバー１０２を取り付け、前面を覆うようにフロントカバー１０３を取り付けて構成されている。段部１０９は、コントロールボックスフレーム１０７の切欠形状によって形成され、コントロールボックスフレーム１０７の先端側の高さを他の部分の高さよりも低くするように形成されている。
【００１６】
コントロールボックスフレーム１０７は、扁平形状のフレーム構造体である。このようなコントロールボックスフレーム１０７は、図３に示すように、その内部が仕切り板１１１によって仕切られ、正面から見て右側の空間と左側の空間とが３：１〜４：１程度の割合で区切られている。便宜上、仕切り板１１１によって仕切られた右側の空間を右空間１１２、左側の空間を左空間１１３と呼ぶ。仕切り板１１１にも、段部１０９を形成するための切欠形状が形成されている。
【００１７】
コントロールボックスフレーム１０７の右空間１１２の側の右側壁には、前方側に排気用開口部１１４が形成され、第1の排気用開口部１１４以外の位置にはマザーボードを出し入れするためのマザーボード装着用開口部１１５が形成されている。マザーボード装着用開口部１１５の一部は、第２の排気用開口部１１５ａを兼ねている。コントロールボックスフレーム１０７の右空間１１２の側の背面壁には、各種のコネクタ１１６を外部に露出させるための複数個のコネクタ用開口部１１７が形成されている。
【００１８】
コントロールボックスフレーム１０７の左空間１１３の側の左側壁には、冷却用開口部１１８が形成されている。コントロールボックスフレーム１０７の左空間１１３の側の背面壁には、第３の排気用開口部１１９が形成されている。そして、コントロールボックスフレーム１０７の前面壁には、各種の開口部１２０が形成されている。
【００１９】
次いで、ハードウェア構成物１０８について説明する。コントロールボックスフレーム１０７の右空間１１２には、手前側に寄せてＨＤＤ１２１が配置され、その奥側には底面近くにマザーボード１２２が配置されている。マザーボード１２２は、図示しないＣＰＵやメモリ等を搭載している。ＣＰＵは熱源となる。このため、ＣＰＵの上には第２のファン１２３が取り付けられている。この第２のファン１２３は、その排気口１２３ａをコントロールボックスフレーム１０７のマザーボード装着用開口部１１５の一部に兼ねられた第２の排気用開口部１１５ａに対面させて配置されている。マザーボード１２２は、マザーボード装着用開口部１１５を介してコントロールボックスフレーム１０７に引き出し自在に装着される。
【００２０】
コントロールボックスフレーム１０７の右空間１１２には、背面壁に取り付けられたコネクタ基板１２４が配置されている。このコネクタ基板１２４は、複数個のコネクタ１１６を搭載する。
【００２１】
コントロールボックスフレーム１０７の右空間１１２には、仕切り板１１１の側壁に取り付けられた接続用ボード１２５が配置されている。この接続用ボード１２５は、コネクタ１１６やＨＤＤ１２１等と図示しないリード線を介して接続され、これらのコネクタ１１６やＨＤＤ１２１等とマザーボード１２２に搭載されたＣＰＵとを接続する役割を担う。この役割を果たすために、マザーボード１２２と接続用ボード１２５とには、コントロールボックスフレーム１０７に対するマザーボード１２２の装着動作に伴い接続される図示しないコネクタがそれぞれ設けられている。また、接続用ボード１２５には、拡張ボード１２６を装着するための拡張ボード用コネクタ１２７が複数個設けられており、これらの拡張ボード用コネクタ１２７には複数枚の拡張ボード１２６が差し込まれている。拡張ボード用コネクタ１２７に差し込まれた拡張ボード１２６は、接続用ボード１２５を介してマザーボード１２２に搭載されたＣＰＵに接続される。
【００２２】
コントロールボックスフレーム１０７の左空間１１３には、奥側に位置させて電源ユニット１２８が収納され、手前側に位置させてＵＰＳ（無停電電源装置）バッテリー１２９が収納されている。熱源となる電源ユニット１２８の配置によって、左空間１１３からは熱を逃がす必要が生ずる。そこで、コントロールボックスフレーム１０７の背面壁には、その背面壁に形成された第３の排気用開口部１１９に位置させて図示しない第３のファンが取り付けられ、この第３のファンの作動によって左空間１１３から熱が逃がされる。また、電源ユニット１２８から発生した熱は、コントロールボックスフレーム１０７の冷却用開口部１１８からも逃がされる。
【００２３】
［一体型のＰＯＳ端末について］
次に、本実施の形態の一体型のＰＯＳ端末について説明する。
【００２４】
前述のように、本実施の形態では、前述の分散型のＰＯＳ端末のコントローラ１０１の製造と、後述する一体型のＰＯＳ端末２０１の製造とに際して、コントロールボックスフレーム１０７及びハードウェア構成物１０８を共用するようにしている。
【００２５】
図４は、一体型の商品販売データ処理装置、本実施の形態ではＰＯＳ端末２０１を示す斜視図である。一体型のＰＯＳ端末２０１は、手前右側にキーボード２０２、手前左側に紙幣置き２０３、奥右側にオペレータ用と客面用とのそれぞれのディスプレイ２０４ａ，２０４ｂ、奥左側にプリンタ２０５が配置されて構成されている。
【００２６】
図５は、ＰＯＳ端末２０１の分解斜視図である。ＰＯＳ端末２０１は、本体フレーム２０６に各部が支持されて構成されている。つまり、本体フレーム２０６は、扁平形状のフレーム構造体であり、先端側の高さを他の部分の高さよりも低くする第２の段部２０７を有する。このような本体フレーム２０６には、コントロールボックスフレーム１０７が収納されている。そして、キーボード２０２及び紙幣置き２０３はキーボードユニット２０８として一体化され、第２の段部２０７の上面部分に固定される。奥右側にオペレータ用と客面用とのそれぞれのディスプレイ２０４ａ，２０４ｂは、ディスプレイユニット２０９として一体化され、本体フレーム２０６の第２の段部２０７ではない部分の上面に固定される。そして、プリンタ２０５はプリンタユニット２１０として構成され、本体フレーム２０６の第２の段部２０７ではない部分の上面であって、ディスプレイユニット２０９の隣接位置に固定される。さらに、本体フレーム２０６の正面と背面と両側面とは、これらの正面と背面と両側面とに着脱自在に取り付けられる４個の化粧カバー２１１によってそれぞれ覆われている。
【００２７】
図６は、キーボードユニット２０８とディスプレイユニット２０９とプリンタユニット２１０とを支持する本体フレーム２０６に対して、コントロールボックスフレーム１０７を装着する状態を示す分解斜視図である。図７は、その側面図である。コントロールボックスフレーム１０７は、本体フレーム２０６の第２の段部２０７に段部１０９を位置付けるようにして本体フレーム２０６の後部より装着される。コントロールボックスフレーム１０７は、本体フレーム２０６に対して引き出し自在である。
【００２８】
図８は、コントロールボックスフレーム１０７が装着された本体フレーム２０６に対して、キーボードユニット２０８とフロントの化粧カバー２１１とを取り付ける状態を示す側面図である。図８に示すように、本体フレーム２０６にコントロールボックスフレーム１０７を装着させたなら、キーボードユニット２０８及び前面の化粧カバー２１１を本体フレーム２０６に取り付け、さらに、図１２には図示しないが両側面の化粧カバー２１１を本体フレーム２０６に取り付け、一体型のＰＯＳ端末２０１が完成する。
【００２９】
図９は、完成した一体型のＰＯＳ端末２０１を示す側面図である。
【００３０】
なお、図６〜図８中、本体フレーム２０６に対してハードウェア構成物１０８が全く装着されていない状態のコントロールボックスフレーム１０７が装着される状態が示されているが、実際の製造時には、本体フレーム２０６に対してハードウェア構成物１０８の全部又は一部が装着された状態のコントロールボックスフレーム１０７が装着されることになる。
【００３１】
以上の説明から明らかなように、本実施形態の一体型のＰＯＳ端末２０１は、ユニット化された各部品を組み合わせて構成されている。
【００３２】
図１０は、ＰＯＳ端末２０１の右側面の化粧カバー２１１（化粧カバー２１１ａ）の更に詳細な構成を説明する分解斜視図である。
【００３３】
図１０に示すように、化粧カバー２１１ａは、カバー本体３０１と、カバー本体３０１の筐体内側に設けられる防塵カバー３０２と、カバー本体３０１の筐体外側に設けられるパネル３０３とから構成される。
【００３４】
カバー本体３０１の外面は、その一部が、外観面３１１に比べて筐体内部に向かって窪んだ凹面３１２になっている。そして、凹面３１２には、二つの排気口３１３，３１４が設けられている。この排気口３１３，３１４は、それぞれ前述の排気口１０６ａ，１０６ｂに相当する。
【００３５】
パネル３０３は、シート材であり、凹面３１２に弱粘着・再剥離接着剤で貼り付けされていて、凹面３１２に対して何度でも接着、剥離を繰返すことができる。パネル３０３は、その輪郭形状が凹面３１２の輪郭形状に合っていて、排気口１０６ａ，１０６ｂに対応した排気口３２１，３２２が形成されている。そして、パネル３０３を凹面３１２に貼り付けしたときは、排気口１０６ａ，１０６ｂの位置に排気口３２１，３２２の位置が合うようになっている。
【００３６】
パネル３０３は、例えばプラスチック材などで形成され、表面に印刷が可能であり、ユーザの希望に応じて表面に所望の色、模様、イラストなどを施すことができる。
【００３７】
このように、ＰＯＳ端末２０１は、本体筐体の右側面の化粧カバー２１１ａには、外観面３１１に比べて筐体内部に向かって窪んだ凹面３１２が形成され、この凹面３１２に排気口３１３，３１４（３２１，３２２）が形成されている。よって、図１１に示すように、本体筐体の右側面近傍にセロハンテープ台３３１などが置かれていたとしても、排気口３１３，３１４（３２１，３２２）が塞がれてしまうことがなく、ＰＯＳ端末２０１の放熱経路を確保し、ＰＯＳ端末２０１を熱的影響から保護することができる。
【００３８】
また、パネル３０３には、その表面にユーザの希望に応じた色、模様、イラストなどを簡単に印刷してカバー本体３０１に貼り付けることができるので、容易に低製造コスト、短納期で、ユーザの希望に応じたカスタム製品としてのＰＯＳ端末２０１を提供することができる。
【００３９】
この場合に、パネル３０３の輪郭形状は凹面３１２の輪郭形状に合っているので、パネル３０３をカバー本体３０１に張り付けする際の位置出しも容易となり、パネル３０３の貼り付け作業を容易に行うことができる。
【００４０】
また、パネル３０３は凹面３１２内に貼り付けされることにより、人の手、周辺機器、商品などがパネル３０３に当たってパネル３０３が剥げ落ちてしまうのを防止することができる。
【図面の簡単な説明】
【００４１】
【図１】分散型のＰＯＳ端末のコントローラの斜視図である。
【図２】その分解斜視図である。
【図３】コントロールボックスフレームの斜視図である。
【図４】本発明の一実施形態である一体型のＰＯＳ端末を示す斜視図である。
【図５】その分解斜視図である。
【図６】キーボードユニットとディスプレイユニットとプリンタユニットとを支持する本体フレームに対して、コントロールボックスフレームを装着する状態を示す分解斜視図である。
【図７】キーボードユニットとディスプレイユニットとプリンタユニットとを支持する本体フレームに対して、コントロールボックスフレームを装着する状態を示す側面図である。
【図８】コントロールボックスフレームが装着された本体フレームに対して、キーボードユニットと前面の化粧カバーとを取り付ける状態を示す側面図である。
【図９】一体型のＰＯＳ端末を示す側面図である。
【図１０】ＰＯＳ端末の右側面の化粧カバーの更に詳細な構成を説明する分解斜視図である。
【図１１】ＰＯＳ端末の右側面近傍にセロハンテープ台を置いた状態の斜視図である。
【符号の説明】
【００４２】
２０１：商品販売データ処理装置、２１１ａ：筐体の右側面、３１２：凹面、３０３：シート材
【図１】
2006155314.tif 000003
【図２】
2006155314.tif 000004
【図３】
2006155314.tif 000005
【図４】
2006155314.tif 000006
【図５】
2006155314.tif 000007
【図６】
2006155314.tif 000008
【図７】
2006155314.tif 000009
【図８】
2006155314.tif 000010
【図９】
2006155314.tif 000011
【図１０】
2006155314.tif 000012
【図１１】
2006155314.tif 000013